(57)【要約】【課題】多数の襞を有するフィルターの自動塵落しができるとともに、この塵落し後に目詰まり部を原因とする風路抵抗を抑制できる電気掃除機を提供する。【解決手段】プリーツ型フィルター45の塵を落す除塵部材と、フィルター駆動装置55と、この装置の運転を制御する除塵コントローラを備え、電動送風機の吸気口に連通する気流出口43及びこの出口より上流側に位置する気流通過口29を有する塵分離ケース21に、フィルター45と除塵部材とを設ける。フィルター45を、回転可能に設けて、その表裏面の一部を気流通過口29と出口43とに対向させる。電動送風機の運転停止状態で駆動装置55によりフィルター45を回転させて、このフィルターの塵を除塵部材で落とす。除塵コントローラの制御で、駆動装置55の運転開始直前に出口43に対向していたフィルター45の出口対向部位が、駆動装置55の運転開始直前の位置に戻らないようにフィルター45の停止位置をずらすようにしている。【選択図】      図６
2007007328.tif 000002
【特許請求の範囲】
【請求項１】
電動送風機と、
この電動送風機の吸気口に連通する気流出口及びこの気流出口より上流側に位置する気流通過口を有して、前記電動送風機の上流側に配置された塵分離ケースと、
多数の襞を有するとともに表裏面の一部を前記気流通過口と気流出口とに対向させて前記塵分離ケースに回転可能に取付けられたフィルターと、
前記電動送風機の運転停止状態で前記フィルターを回転させるフィルター駆動装置と、
前記塵分離ケースに設けられ回転状態の前記フィルターの塵を落す除塵部材と、
前記フィルター駆動装置の運転を制御して、前記フィルター駆動装置の運転開始直前に前記気流出口に対向していた前記フィルターの出口対向部位が、前記フィルター駆動装置の運転開始直前の位置に戻らないように前記フィルターの停止位置をずらす除塵コントローラと、
を具備した電気掃除機。
【請求項２】
前記フィルターの下部の塵を落すように前記除塵部材を配設し、前記除塵コントローラによって前記フィルターの回転角度を、360°の倍数（但し、倍数は整数）＋360°未満に制御した請求項１に記載の電気掃除機。
【発明の詳細な説明】
【技術分野】
【０００１】
本発明は、多数の襞を有したフィルターによって含塵気流中の塵を捕捉する電気掃除機に関する。
【背景技術】
【０００２】
従来、多数の襞を有した円筒状のフィルターを電動送風機の上流側に配置するとともに、このフィルターを手回しハンドル又はモータなどの駆動手段により回転可能とし、フィルターが回転されるに伴ってこのフィルターの内側（下流側）に配置された除塵体で、フィルターの下部に位置する襞をはじいてフィルターの塵落としをするとともに、フィルターの目詰まりを平均的に分散して、部分的に強い目詰まりが起きないようにする技術が知られている。
【特許文献１】実願昭５４−１８４１２９号（実開昭５５−９５６５０号）のマイクロフィルム（第３頁第１４行〜第５頁第１６行、第１図−第２図）
【発明の開示】
【発明が解決しようとする課題】
【０００３】
特許文献１の技術では、円筒状フィルターの上流側端面が前部枠体で閉じられていて、この前部枠体の前方の接続口から吸込まれた含塵気流が、前部枠体を迂回してからフィルターの外側から内側に通り抜けた後、フィルターをその下流側から回転自在に支持した支持枠の中央部に形成されている通気孔を通過して、電動送風機に吸込まれる。前記接続口と通気孔とはフィルターのろ過部分に対向していない。このため、含塵気流は既述の迂回を余儀なくされている。したがって、気流がフィルターのろ過部分の特定箇所を集中して流れて、その箇所が他のろ過部分に先行して目詰まりを起すことが抑制される反面で、円筒状フィルターの目詰まり状態はその全周から均等に進行して、それによる吸塵力の低下を招き易い。
【０００４】
又、回転可能な円筒状フィルターに部分的に強い目詰まりが起こるとしても、特許文献１には、円筒状フィルターを回して塵落としをする際に、回転されたフィルターをどのように停止するのかという点を含めたフィルターの回転制御についての言及がない。特許文献１では、掃除機の使用後にハンドルを用いて円筒状フィルターを回してから、その回転を止めたときに、フィルターの目詰まりが強く風路抵抗が大きい箇所が、塵落としをする前の位置からずれるという保証がない。
【０００５】
本発明の目的は、多数の襞を有するフィルターの自動塵落しができるとともに、この塵落し後に目詰まり部を原因とする風路抵抗を抑制できる電気掃除機を提供することにある。
【課題を解決するための手段】
【０００６】
本発明は、多数の襞を有するフィルターを回転させるフィルター駆動装置と、この装置の運転を制御する除塵コントローラを備えるとともに、電動送風機の吸気口に連通する気流出口及びこの気流出口より上流側に位置する気流通過口を有する塵分離ケースに、前記フィルターとこのフィルターの塵を落す除塵部材を設ける。塵分離ケースにフィルターを回転可能に取付けたフィルターの表裏面の一部を気流通過口と気流出口とに対向させる。このフィルターを、電動送風機の運転停止状態でフィルター駆動装置により回転させて、除塵部材で回転状態のフィルターの塵落しをする。除塵コントローラの制御で、フィルター駆動装置の運転開始直前に気流出口に対向していたフィルターの出口対向部位が、フィルター駆動装置の運転開始直前の位置に戻らないようにフィルターの停止位置をずらすようにしている。
【発明の効果】
【０００７】
本発明によれば、多数の襞を有するフィルター全体の塵落しができるとともに、この塵落し後のフィルターでの風路抵抗を抑制できる電気掃除機を提供できる。
【発明を実施するための最良の形態】
【０００８】
図１〜図８を参照して本発明の一実施形態を説明する。
【０００９】
図１中符号１は例えばキャニスタ型の電気掃除機を示しており、この電気掃除機１は、掃除機本体２と、これに接続された吸込み部材３とを備えている。掃除機本体２は、それが有した車輪等により被掃除面である床面上を走行可能である。掃除機本体２の前部には、例えば前面に開口した接続口２ａが設けられている。掃除機本体２の後部には電動送風機４が収容されている。電動送風機４はその吸気口４ａを前に向けて配設されている。
【００１０】
接続口２ａに含塵空気を導く吸込み部材３は、吸塵ホース５と、延長管６と、吸込み口体７とを備えている。吸塵ホース５は、可撓性のホース本体の一端に接続筒部５ａを有し、ホース本体の他端に手元操作部５ｂを有している。
【００１１】
接続筒部５ａは接続口２ａに差込接続されている。手元操作部５ｂが有したハンドル部５ｃには操作ボタンが設けられた操作パネル８が取付けられている。この操作パネル８によって電動送風機４のオンーオフ制御を始めとする種々の運転指令が掃除機本体２に内蔵された制御装置９に与えられる。延長管６は、伸縮式例えば上流側管６ａと下流側管６ｂとを摺動可能に嵌合させてなるもので、その下流側管６ｂは手元操作部５ｂに着脱自在に嵌合されている。吸込み口体７は上流側管６ａに着脱自在に嵌合されている。
【００１２】
電動送風機４の上流側、例えば掃除機本体２の接続口２ａと電動送風機４との間の部位に塵分離装置１１が配設されている。塵分離装置１１は、分離装置本体１２と、集塵ケース１３とを備えている。
【００１３】
集塵ケース１３は、掃除機本体２の前部上方からの挿脱操作により分離装置本体１２に着脱可能に取付けられている。図２、図３、図６中符号１４は、集塵ケース１３の上面に設けた挿脱操作用の把手を示しており、この把手１４は図１では省略してある。
【００１４】
図７に示すように集塵ケース１３内の空間は、掃除機本体２の幅方向に延びる塵移動空間１３ａと、この塵移動空間１３ａから下向きに連続した塵溜め空間１３ｂとで形成されている。塵溜め空間１３ｂに臨んだ集塵ケース１３の蓋１５は、塵捨てのために下端部のヒンジ部１６（図２、図３、図６参照）を中心に回動できる。この蓋１５の閉じ状態は、保持部材１７で蓋１５の上縁を押さえることによって保持される。保持部材１７は手動操作により蓋１５の上縁を押さえない位置と押さえる位置とに渡って移動できる。
【００１５】
分離装置本体１２が備える塵分離ケース２１には、フィルター４５及びフィルター駆動装置５５が取付けられているとともに、除塵部材６１が設けられている。
【００１６】
図３及び図６に示すように塵分離ケース２１は、第１のケース部材２２と第２のケース部材４１とを連結して形成されている。第１のケース部材２２には前向きに突出する気流入口２３が設けられている。この気流入口２３は掃除機本体２の接続口２ａに接続される。
【００１７】
図６及び図７に示すように第１のケース部材２２は、吸気筒２４と、この周囲を囲むように設けられた円筒状のガイド壁２５とを備え、これらの間に一次分離室２６を形成している。吸気筒２４は掃除機本体２及び塵分離ケース２１の幅方向に延びており、その一端は第１のケース部材２２の一部をなして一次分離室２６内を視認可能とする透明部材２１ａで閉じられている。透明部材２１ａと対向して一次分離室２６を仕切る奥壁２７は、透明部材２１ａに次第に近づく螺旋状の壁で形成されている。奥壁２７の透明部材２１ａに対して最も遠い部位と近い部位との間には分離室入口２１ｂ（図７参照）が形成されており、この分離室入口２１ｂは気流入口２３に連通されている。
【００１８】
第１のケース部材２２には例えば斜め上向きの分離室出口２８が設けられ、この分離室出口２８は第１のケース部材２２の外面に開口されている（図４参照）。透明部材２１ａと吸気筒２４の一端側部位は一体に形成されており、この一端側部位に吸気部例えば多数の吸気小孔２４ａが設けられている。第１のケース部材２２は、吸気筒２４の内部に連通する気流通過口２９（図５参照）を形成する壁部３０を有している。気流通過口２９は、フィルター４５の後述するフィルター要素４８の上流側面（表面）に対向するように第２のケース部材４１に向けて開口されている。
【００１９】
奥壁２７の一部には、気流通過口２９と一次分離室２６とを連通する網目部材付きの通気窓２７ａが複数設けられている。第１のケース部材２２の外面には、図４及び図７に示すように分離室出口２８と並んで開口する通気口３１が設けられている。この通気口３１は気流通過口２９に連通している。
【００２０】
これら分離室出口２８と通気口３１を覆って集塵ケース１３は第１のケース部材２２の外面に着脱される。集塵ケース１３には、図７に示すように分離室出口２８に重なってこれに連通するケース入口１３ｃと、通気口３１に重なってこれに連通する網目部材付きのケース通気窓１３ｄが設けられている。
【００２１】
図２及び図４中符号１８は第１のケース部材２２に一体に形成した位置決め凸部を示し、符号１９はこの位置決め凸部１８の先端に取付けられた回転可能なロック部材を示している。更に、符号１３ｅは集塵ケース１３の位置決め溝を示している。位置決め溝１３ｅを位置決め凸部１８に嵌合させることにより、集塵ケース１３が第１のケース部材２２の外面に位置決めされる。この状態でロック部材１９を使用者の手で回転させて集塵ケース１３の外面に引っ掛けることにより、集塵ケース１３が第１のケース部材２２に取付けられる。この逆の手順で集塵ケース１３を第１のケース部材２２から外すことができる。
【００２２】
図４及び図５に示すように第１のケース部材２２には第２のケース部材４１に向けて軸部３２が一体に突設されている。この軸部３２は円筒状をなし先端が開口されている。図４に示すように第１のケース部材２２の後部２２ａは円形状に広がって形成されており、この後部２２ａはガイド壁３３を有している。ガイド壁３３は軸部３２を中心として描かれる円形をなしている。
【００２３】
図４に示すように第１のケース部材２２の後部２２ａはガイド壁３３より前側に位置する底壁２２ｃを有している。この底壁２２ｃは図６に示すように前下がり状で、かつ、後述の細塵出口３４に向けて下がるように傾斜されている。除塵部材６１は、フィルター４５を例えばはじくことによりこのフィルター４５に付着している塵を落すものであって、底壁２２ｃから上向きに一体に突設されている。この除塵部材６１は第１のケース部材２２の幅方向に弾性変形可能な板状に形成されている。
【００２４】
図６に示すように一次分離室２６は細塵回収部２６ａを有している。細塵回収部２６ａには、一次分離室２６を通る空気の一部が流入口２６ｂから流出口２６ｃを経由して通り抜けることができる。第１のケース部材２２の後部２２ａには、底壁２２ｃに臨んで細塵出口３４が形成されているとともに、この細塵出口３４を開閉する蓋３５が回転可能に取付けられている。蓋３５は、図示しないばねで常時開き方向に付勢されていて、電動送風機４の運転に伴い第１のケース部材２２の後部２２ａの内部に作用する吸気負圧によって閉じられる（図６の状態参照）ようになっている。
【００２５】
第２のケース部材４１は、第１のケース部材２２の下流側部位をなす後部２２ａと同じ直径を有したカバーからなる。図２及び図３に示すように第１のケース部材２２と第２のケース部材４１とは、それらに放射状に突設された連結凸部３６，４２を、互いに嵌合させて取外し可能な図示しないねじで止めることにより、連結されている。第１のケース部材２２の連結凸部３６と第２のケース部材４１の連結凸部４２は、それらを除いて第１のケース部材２２と第２のケース部材４１とを、塵分離ケース２１の前後方向に所定間隔開けて、後述の歯車の配置を可能とするスペーサとしても機能している。
【００２６】
図３に示すように第２のケース部材４１には後向きに突出する気流出口４３が設けられている。気流出口４３は第２のケース部材４１の中心部より周縁に近付けられている。それにより、気流出口４３は図５に示すように気流通過口２９の真後ろではなく斜め下方にずれている。この気流出口４３は電動送風機４の吸気口４ａに連通されている。
【００２７】
前記フィルター４５は、図６及び図８に示すように円形壁４６と、フィルター枠４７と、フィルター要素４８と、ローラ等からなる複数の転動体４９と、歯車５０とを備えている。
【００２８】
円形壁４６は前記ガイド壁２５の内径よりも小径であり、この円形壁４６の外周部にその周方向に沿って間隔的に転動体４９が取付けられている。歯車５０は、円形壁４６の後縁に一体に連なって径方向外側に張り出して設けられている。したがって、歯車５０は円形壁４６より大径である。
【００２９】
フィルター枠４７は、円形壁４６より小さく、この円形壁４６の前縁に連なって一体に設けられている。フィルター枠４７には、このフィルター枠４７によって多数の襞を有するように形を付与されて塵をろ過分離するフィルター要素４８が装着されている。これらフィルター枠４７とフィルター要素４８とはいわゆるプリーツフィルター部を形成している。このプリーツフィルター部は、概ね円錐台形状をなしていて、前側（上流側）に向けて次第に径が小さくなっている。フィルター枠４７の前端部は閉じており、その中心部に図８に示すように前側に開放する軸受穴４７ａが形成されている。
【００３０】
フィルター４５は、その軸受穴４７ａを前記軸部３２に嵌合するとともに、転動体４９をガイド壁２５の内周面に接触させて、軸部３２を中心としてガイド壁２５に沿って回転可能に支持されている。この組込みによって、フィルター４５はそのフィルター要素４８の襞を斜めにして配設される。このフィルター４５の歯車５０は、第１のケース部材２２と第２のケース部材４１との間の前記隙間を通って塵分離ケース２１の外部に突出されている。なお、フィルター４５と第１のケース部材２２及び第２のケース部材４１との間には、図示しない環状の気密シール部材が挟み込まれている。
【００３１】
以上のように塵分離ケース２１の後部に組込まれたフィルター４５は、第１のケース部材２２の後部２２ａとの間に上流側室Ａを形成し、かつ、第２のケース部材４１との間に下流側室Ｂを形成している。上流側室Ａに臨んだ気流通過口２９はプリーツフィルター部の表面（上流側面）に対向し、下流側室Ｂに臨んだ気流出口４３はプリーツフィルター部の裏面（下流側面）に対向している。上流側室Ａには前記除塵部材６１が位置されていて、この除塵部材６１の上端部は、フィルター４５が回転された時に、そのプリーツフィルター部の外周部に位置する襞をはじくことができるように、前記外周部に位置する襞の回転軌跡と交差して設けられている。
【００３２】
図６に示すようにフィルター駆動装置５５は、塵分離ケース２１の例えば第２のケース部材４１に固定された回転角制御ができる電動モータ例えばステッピングモータ５６と、このステッピングモータ５６の出力軸に固定された駆動歯車５７とを有している。駆動歯車５７は、フィルター４５の歯車５０より小径であって、この歯車５０に噛み合わされている。したがって、ステッピングモータ５６が運転されるに伴いフィルター４５は前記気密シール部材の摩擦抵抗に抗して回転される。
【００３３】
前記制御装置９は、回路基板上に各種の電気部品を搭載してなり、操作パネル８から入力される操作指令に応じて電動送風機４等の運転全般を制御するものである他、除塵コントローラ９ａ（図１参照）を有している。なお、説明の便宜上、図１では除塵コントローラ９ａを制御装置９から独立させて描いてある。
【００３４】
除塵コントローラ９ａは、掃除作業中に操作パネル８での指令によって電動送風機４の動作が所定時間以上中断したとき、及び電動送風機４の動作を停止させて掃除を終わらせた状態などにおいて、フィルター駆動装置５５を駆動してその運転を制御するものである。
【００３５】
ステッピングモータ５６に対する駆動パルスの印加数が除塵コントローラ９ａで制御されることによって、フィルター４５が回転されてその自動塵落しがなされる。この場合の除塵コントローラ９ａの制御によって、フィルター駆動装置５５の運転開始直前に気流出口４３に対向していたフィルター要素４８の部位（この部位を便宜上出口対向部位と称する。）が、塵落し後にフィルター駆動装置５５の運転開始直前の位置に戻らないようにフィルター４５の停止位置がずらされるとともに、フィルター４５の回転が停止するまでの間に、このフィルター４５が１回転以上回転されるようになっている。この場合、除塵コントローラ９ａによる以上の制御条件を満たすための好適な例として、塵落しの際のフィルター４５の回転角度を、360°の倍数（但し、倍数は整数）＋360°未満にするとよい。更に、前記停止位置がずれる角度は、フィルター４５の回転中心を通って描かれる気流出口４３の接線で挟まれる角度より大きくすることが好ましい。
【００３６】
電動送風機４が運転されることにより、吸込み部材３を通して床面上の塵を含んだ空気が掃除機本体２の接続口２ａに吸込まれる。この含塵空気は塵分離装置１１を通る間に、慣性分離による塵分離作用とろ過分離による塵分離作用を受ける。こうした２段階に塵分離された空気は、気流出口４３から流出するとともに電動送風機４を流通して掃除機本体２の外部に排出される。
【００３７】
第１段階での慣性分離による塵分離は以下のように行われる。つまり、接続口２ａを通った含塵空気は、気流入口２３から分離室入口２１ｂを経て一次分離室２６に流入する。この時、一次分離室２６の奥壁２７に沿って流動する含塵空気は一次分離室２６内を旋回するので、それに伴って塵に作用する遠心力により、粗い塵など質量が大きい塵は、ガイド壁２５側に寄せられるとともにこのガイド壁２５に沿って移動されながら分離室出口２８及びケース入口１３ｃを通って集塵ケース１３の塵移動空間１３ａに流出する。この一方で、質量の小さい綿埃や空気の一部が吸気筒２４の吸気小孔２４ａに吸込まれるので、前記質量の大きい塵と空気とが分離される。
【００３８】
吸気筒２４の内側に吸込まれた空気は気流通過口２９に向けて流動する。この空気流には、一次分離室２６に流入して通気窓２７ａを通った一部の空気が合流する。更に、気流通過口２９に向かう気流には、ケース通気窓１３ｄ及び通気口３１を通って塵移動空間１３ａから吸込まれる空気も合流する。こうして塵移動空間１３ａ内の空気が気流通過口２９に向けて吸込まれることにより、塵移動空間１３ａ内での粗い塵など質量が大きい塵の移動が促進されて、この塵は集塵ケース１３の塵溜め空間１３ｂまで移動されて溜められる。
【００３９】
そして、第２段階でのろ過分離を以下のようになされる。既述のように合流して気流通過口２９に至った空気は、この気流通過口２９から吹出されてフィルター４５のフィルター要素４８を通過してろ過される。それにより、通過しようとする空気中に含まれている綿埃などの細かい塵が、フィルター要素４８に捕捉される。フィルター要素４８を通過して清浄化された空気は、既述のように気流出口４３を通って流出し電動送風機４に吸込まれる。
【００４０】
以上の掃除においては、フィルター４５の前側の前記上流側室Ａに一次分離室２６より強い負圧が作用しているので、この負圧で引き寄せられた蓋３５によって細塵出口３４は閉じた状態に保持されている。そのため、一次分離室２６内の気流が上流側室Ａに吸込まれることがなく、既述のサイクロン式の慣性分離作用が損なわれることがない。
【００４１】
掃除作業が所定時間以上中断されたとき、及び掃除作業が完了した直後に、制御装置９の除塵コントローラ９ａによってフィルター駆動装置５５が動作されて、フィルター４５の自動塵落しが以下のようになされる。
【００４２】
この場合、除塵コントローラ９ａはステッピングモータ５６に所定数の駆動パルスを印加させるので、駆動歯車５７とフィルター４５の歯車５０との噛み合いを介してフィルター４５が回転される。それにより、フィルター要素４８の外周側の襞が除塵部材６１を通過するたびに、この襞が除塵部材６１ではじかれるに伴い、主にフィルター要素４８の表面に捕捉されている細かい塵が落される。しかも、除塵部材６１はフィルター４５の下部をはじいてフィルター４５の下部に除塵動作を与えるので、それによりフィルター要素４８の表面から分離された塵を、直ちに落下させてフィルター要素４８の表面に留まらないようにできる。
【００４３】
前記駆動パルスの印加終了に伴ってフィルター４５の回転が停止される。この場合、除塵コントローラ９ａは、フィルター４５の回転角度を、360°の倍数（だたし倍数は整数）＋360°未満になるようにステッピングモータ５６の運転を制御する。
【００４４】
そのため、フィルター４５が１回以上回転されて、フィルター４５の全周にわたる塵落しがなされる。これとともに、この自動塵落し直前の状態で気流出口４３に対向していたフィルター要素４８の出口対向部位が、フィルター駆動装置５５の運転開始直前の位置に戻らないようにずらされて、フィルター４５が停止される。
【００４５】
前記出口対向部位は気流出口４３に対向している。そして、気流は、気流通過口２９から気流出口４３にわたる最短距離を通ってフィルター４５を集中的に通り抜けようとするので、出口対向部位に対する気流の通過量は他の部位よりも多い。このため、出口対向部位での細塵の捕捉量は、他の部位での細塵の捕捉量より多く、したがって、掃除に伴って前記出口対向部位は他の部位よりも高い目詰まり状態を呈するようになる。
【００４６】
除塵コントローラ９ａによる制御では、以上のように高い目詰まり状態の出口対向部位の位置を、自動塵落し直前の状態の位置から必ずずれた位置に配置させてフィルター４５の回転を停止させることができる。そのため、高い目詰まり状態の部位が自動塵落し直前の状態の位置と同じ位置にフィルター４５の回転が停止される場合のように、フィルター４５の局部的な目詰まりの進行、つまり、フィルター４５に対して気流が最も通過しやすい部位の目詰まりの進行を抑制できる。
【００４７】
このように自動塵落しに伴ってフィルター４５での風路抵抗の増加が抑制されるだけでなく、気流通過口２９と気流出口４３とを最短距離で集中して流れる気流を原因とする局部的なフィルターの目詰まりが進行しないようにできる。したがって、自動塵落し後における掃除では、フィルター４５に対して気流が最も通過しやすい部位での風路抵抗の増加を抑制できるとともに、吸塵性能の低下を抑制きる。
【００４８】
以上の自動塵落しでは、フィルター４５の襞を除塵部材６１がはじく都度、この除塵部材６１が弾性変形を繰り返すので、それに伴う振動が第１のケース部材２２、とりわけ、除塵部材６１が一体に突設された底壁２２ｃに効果的に波及する。そのため、既述の塵落しに伴いフィルター４５から底壁２２ｃに落下した細塵は、振動によって底壁２２ｃの傾斜に沿って細塵出口３４に向けて移動される。
【００４９】
自動塵落しが行われている状態では電動送風機４が停止しているので、蓋３５は細塵出口３４から離れていて、この細塵出口３４は開かれている。そのため、既述のように振動で移動される細塵は細塵出口３４を通って細塵回収部２６ａに落ちる。
【００５０】
中断された掃除が再開された場合、及び、改めて掃除が開始された場合には、既述のように吸気負圧で細塵出口３４が蓋３５で閉じられる。この一方で、一次分離室２６を旋回する含塵気流の一部は、流入口２６ｂから細塵回収部２６ａに流入した後、流出口２６ｃを通って一次分離室２６内を旋回する気流に合流する。こうして細塵回収部２６ａを流通する空気によって細塵回収部２６ａ内の細塵が回収される。回収された細塵は、粗塵等に付着して集塵ケース１３内に溜められる。
【００５１】
本発明は前記一実施形態には制約されない。例えば、除塵部材は、フィルターの下流側例えば第２のケース部材に設けて、フィルターの回転に伴ってこのフィルターを内周側から例えばはじくなどによる除塵動作を与えて塵落しをするように設けてもよい。又、除塵部材がフィルターの外周側又は内周側のいずれに配置されるにせよ、その除塵部材がフィルター要素と接触することなくフィルター枠などを例えばはじいて塵落としするようにしてもよい。この場合には、除塵部材との接触の繰り返しによりフィルター要素が損傷する恐れを回避できる点で好ましい。更に、除塵部材は、前記一実施形態のように一つではなく、フィルターの周方向に間隔的に複数設けることも可能である。又、フィルターの向きは制限がなく、しかも、フィルターはその襞が放射状に設けられる円板形状のものであってもよい。又、フィルターを回転させるフィルター駆動装置は塵分離ケースから外して掃除機本体に設けてもよい。
【図面の簡単な説明】
【００５２】
【図１】本発明の一実施形態の電気掃除機を示す斜視図。
【図２】図１の電気掃除機が備える塵分離装置を気流入口側から見て示す斜視図。
【図３】図１の電気掃除機が備える塵分離装置を気流出口側から見て示す斜視図。
【図４】図１の電気掃除機が備える塵分離装置を、その第２のケース部材、フィルター、及び集塵ケースを外した状態で気流出口側から見て示す斜視図。
【図５】図４の状態で塵分離装置を気流出口側から見て示す後面図。
【図６】図１の電気掃除機が備える塵分離装置を一部切り欠いて示す斜視図。
【図７】図３中Ｆ７−Ｆ７線に沿って切り欠いた状態の塵分離装置を示す斜視図。
【図８】図１の電気掃除機が備える塵分離装置のフィルターを示す斜視図。
【符号の説明】
【００５３】
１…電気掃除機、２…掃除機本体、４…電動送風機、４ａ…吸気口、８…操作パネル、９…制御装置、９ａ…除塵コントローラ、１１…塵分離装置、１２…分離装置本体、１３…集塵ケース、２１…塵分離ケース、２２…第１のケース部材、２３…気流入口、２９…気流通過口、３２…軸部、４１…第２のケース部材、４３…気流出口、４５…フィルター、４７…フィルター枠、４７ａ…軸受穴、４８…フィルター要素、５０…歯車、５５…フィルター駆動装置、５６…ステッピングモータ、５７…駆動歯車、６１…除塵部材
【図１】
2007007328.tif 000003
【図２】
2007007328.tif 000004
【図３】
2007007328.tif 000005
【図４】
2007007328.tif 000006
【図５】
2007007328.tif 000007
【図６】
2007007328.tif 000008
【図７】
2007007328.tif 000009
【図８】
2007007328.tif 000010